(57)【要約】【課題】流路状態を検出可能な流路状態検出方法及び当該方法を実行可能な給湯設備を提供することを目的とする。【解決手段】給水路１０から延び、給水路１０から供給された水を含む流体が通流する流路と、流路を通流する水を加熱して湯水を生成する加熱部と、流路内の一部に、流体の流れ方向に沿って互いに対向して配置された一対の電極４１ａ、４１ｂを有し、一対の電極４１ａ、４１ｂに電圧を印加することで流体を電気分解し電解水を生成する電解水生成装置４０と、水、湯水及び電解水の少なくともいずれかの流体を排出する排出口と、を備える給湯設備において、一対の電極４１ａ、４１ｂに対して、上流側の流体の上流温度と下流側の流体の下流温度との温度差と、電圧の印加により一対の電極４１ａ、４１ｂ間を通流する流体に投入されたエネルギーとに基づいて、流量を含む流路状態を検出する。【選択図】図２
2020122635.tif 000002
【特許請求の範囲】
【請求項１】
水の供給を受ける給水口と、
前記給水口から延び、前記給水口から供給された水を含む流体が通流する流路と、
前記流路を通流する水を加熱して湯水を生成する加熱部と、
前記流路内の一部に、前記流体の流れ方向に沿って互いに対向して配置された一対の電極を有し、前記一対の電極に電圧を印加することで前記流体を電気分解し電解水を生成する電解水生成装置と、
前記給水口から供給された水、前記湯水及び前記電解水の少なくともいずれかの前記流体を排出する排出口と、を備える給湯設備において、
前記一対の電極に対して、上流側の流体の上流温度と下流側の流体の下流温度との温度差ΔＴと、前記電圧の印加により前記一対の電極間を通流する流体に投入されたエネルギーＥとに基づいて、前記流路を通流する流体の流量Ｆを含む流路状態を検出する、流路状態検出方法。
【請求項２】
前記流量Ｆは、式（１）及び式（２）により求められる、請求項１に記載の流路状態検出方法。
Ｆ＝（Ｅ×α）／ΔＴ・・・式（１）
Ｅ＝Ｖ×Ｉ×ｈ・・・式（２）
αは、流体に投入したエネルギーＥのうち、流体に温度差ΔＴを生じさせる熱エネルギーへの変換率、
ｈは、前記一対の電極間に電圧が印加される時間、
Ｖは、前記時間ｈにおいて前記一対の電極間に印加される電圧、
Ｉは、前記時間ｈにおいて前記一対の電極間の流体に流れる電流である。
【請求項３】
前記温度差ΔＴは、式（３）により求められる、請求項２に記載の流路状態検出方法。
ΔＴ＝Ｔａ−Ｔｆ・・・式（３）
Ｔｆは、前記一対の電極に対して上流側の流体の上流温度、
Ｔａは、前記一対の電極に対して下流側の流体の下流温度であり、Ｔａ＞Ｔｆである。
【請求項４】
前記流体には、追加的な電解助剤は含まれていない、請求項１〜３のいずれか１項に記載の流路状態検出方法。
【請求項５】
前記電解水生成装置は、前記加熱部の上流側に設けられている、請求項１〜４のいずれか１項に記載の流路状態検出方法。
【請求項６】
前記温度差ΔＴの経時変化が上昇傾向である場合、及び、前記流量Ｆの経時変化が減少傾向である場合の少なくともいずれかに基づいて、前記流路状態として前記流路の閉塞を推定する、請求項１〜５のいずれか１項に記載の流路状態検出方法。
【請求項７】
前記流路の閉塞が検出されると、前記一対の電極に印加する電圧の正負の極性を入れ替える、請求項６に記載の流路状態検出方法。
【請求項８】
水の供給を受ける給水口と、
前記給水口から延び、前記給水口から供給された水を含む流体が通流する流路と、
前記流路を通流する水を加熱して湯水を生成する加熱部と、
前記流路内の一部に、前記流体の流れ方向に沿って互いに対向して配置された一対の電極を有し、前記一対の電極に電圧を印加することで前記流体を電気分解し電解水を生成する電解水生成装置と、
前記給水口から供給された水、前記湯水及び前記電解水の少なくともいずれかの前記流体を排出する排出口と、
前記一対の電極に対して、上流側の流体の上流温度と下流側の流体の下流温度との温度差ΔＴと、前記電圧の印加により前記一対の電極間を通流する流体に投入されたエネルギーＥとに基づいて、前記流路を通流する流体の流量Ｆを含む流路状態を検出する流路状態検出部と、
を備える給湯設備。
【発明の詳細な説明】
【技術分野】
【０００１】
本発明は、流路状態検出方法及び当該方法を実行可能な給湯設備に関する。
【背景技術】
【０００２】
特許文献１には、浴室内に噴霧するミスト用水を加熱するミスト用熱交換器と、電解水を生成する電解水生成装置とを備えた浴室洗浄装置が開示されている。ミスト用熱交換器は、水道水をミスト用水として加熱し、ミスト用温水を生成する。また、電解水生成装置は、水道水に浸した電極間に電流を流すことによって次亜塩素酸を含む電解水を生成する。加熱されたミスト用水と次亜塩素酸を含む電解水とが混合されて洗浄液として噴霧用ノズルから浴室内に噴霧される。よって、温度が高く、洗浄効率の高い洗浄液を噴霧して浴室を洗浄することができる。
【先行技術文献】
【特許文献】
【０００３】
【特許文献１】特開２０１８−８２７９５号公報
【発明の概要】
【発明が解決しようとする課題】
【０００４】
上記特許文献１の浴室洗浄装置には、浴室内にミスト用水、電解水及びそれらの混合水等の流体を浴室内に供給するための流路が設けられているが、当該流路内を通流する流体の流量は多くない。これは、ミスト用水及び電解水等は浴室内に噴霧されるものであり、大流量で浴室内に供給されるものではないからである。よって、これらの流体が通流する流路の径は一般的に小さく設計されており、流路内を通流する流体の流量が少ない。このように流量が少ない場合、流量計の誤差及び外乱等に起因して流体の流量を測定することが難しい。そのため、当該流路内を通流する流体の流量を含む流路状態を容易に検出することが望まれている。
【０００５】
そこで、本発明は上述の課題に鑑みてなされたものであり、流路状態を容易に検出可能な流路状態検出方法及び当該方法を実行可能な給湯設備を提供することを目的とする。
【課題を解決するための手段】
【０００６】
本発明に係る流路状態検出方法の特徴構成は、
水の供給を受ける給水口と、
前記給水口から延び、前記給水口から供給された水を含む流体が通流する流路と、
前記流路を通流する水を加熱して湯水を生成する加熱部と、
前記流路内の一部に、前記流体の流れ方向に沿って互いに対向して配置された一対の電極を有し、前記一対の電極に電圧を印加することで前記流体を電気分解し電解水を生成する電解水生成装置と、
前記給水口から供給された水、前記湯水及び前記電解水の少なくともいずれかの前記流体を排出する排出口と、を備える給湯設備において、
前記一対の電極に対して、上流側の流体の上流温度と下流側の流体の下流温度との温度差ΔＴと、前記電圧の印加により前記一対の電極間を通流する流体に投入されたエネルギーＥとに基づいて、前記流路を通流する流体の流量Ｆを含む流路状態を検出する点にある。
【０００７】
上記特徴構成によれば、電解水生成装置により生成される電解水に含まれる次亜塩素酸及び次亜塩素酸イオン等によって、給湯設備及びその周囲等の雑菌、有機物及び臭い等を殺菌、分解及び脱臭等できるだけでなく、給湯設備に設けられた流路の流路状態を検出できる。
【０００８】
電解水生成装置において電解水を生成する場合には、流体の流れ方向に沿って配置され、かつ互いに流路の径方向に対向して配置された一対の電極間に電圧が印加される。これにより、一対の電極間を通流する流体に電圧が印加され、電解水が生成される。このとき、電圧の印加により流体には電圧や電流に応じたエネルギーＥが加わる。このエネルギーＥと、一対の電極に対して上流側の流体の温度と下流側の流体の温度との温度差ΔＴとの関係から、流路を通流する流体の流量Ｆを流路状態として容易に検出できる。
【０００９】
本発明に係る流路状態検出方法の更なる特徴構成は、
前記流量Ｆは、式（１）及び式（２）により求められる点にある。
Ｆ＝（Ｅ×α）／ΔＴ・・・式（１）
Ｅ＝Ｖ×Ｉ×ｈ・・・式（２）
αは、流体に投入したエネルギーＥのうち、流体に温度差ΔＴを生じさせる熱エネルギーへの変換率、
ｈは、前記一対の電極間に電圧が印加される時間、
Ｖは、前記時間ｈにおいて前記一対の電極間に印加される電圧、
Ｉは、前記時間ｈにおいて前記一対の電極間の流体に流れる電流である。
【００１０】
一対の電極間を通流する流体に電圧が印加されることで、当該流体には電流が流れる。よって、時間ｈにおいて一対の電極間を通流する流体に加わるエネルギーＥは、時間ｈにおける、一対の電極に印加する電圧Ｖと一対の電極間の流体に流れる電流Ｉとの乗算から式（２）のように求めることができる。また、投入されたエネルギーＥから熱エネルギーへの変換率αを考慮することで、流量Ｆは式（１）から求めることができる。よって、上記特徴構成の式（１）及び式（２）を用いることで、流路内を通流する流体の流量Ｆを簡単に求めることができる。
【００１１】
本発明に係る流路状態検出方法の更なる特徴構成は、
前記温度差ΔＴは、式（３）により求められる点にある。
ΔＴ＝Ｔａ−Ｔｆ・・・式（３）
Ｔｆは、前記一対の電極に対して上流側の流体の上流温度、
Ｔａは、前記一対の電極に対して下流側の流体の下流温度であり、Ｔａ＞Ｔｆである。
【００１２】
一対の電極間を通流する流体にエネルギーＥを投入することで、一対の電極間の上流側の流体よりも下流側の流体の方が温度が高くなり、Ｔａ＞Ｔｆの関係となる。上記特徴構成のように、下流側の流体の下流温度Ｔａから上流側の流体の上流温度Ｔｆから差し引くことで、エネルギーＥが投入されたことにより上昇した流体の温度差ΔＴを求めることができる。
【００１３】
本発明に係る流路状態検出方法の更なる特徴構成は、前記流体には、追加的な電解助剤は含まれていない点にある。
【００１４】
給水口から給水される水に電解助剤を加えた場合、電解水生成装置において低い電圧を印加することによって水を含む流体から電解水を生成できる。しかし、給湯設備として用いられるミストサウナ装置、給湯器、床暖房端末等において、電解助剤を追加的に加える場合、作業工程が増え、また電解助剤を投入するための構成を給湯設備に備える必要がある。また、電解助剤として挙げられる塩（ＮａＣｌ）等は、流路を構成する配管等の腐食及び破損等を招く恐れがある。
【００１５】
そこで、上記特徴構成によれば、給水口から給水される水に対して追加的に電解助剤は加えない。よって、電圧を印加する等の簡単な工程によって、電解水生成装置において電解水を生成できる。つまり、例えば電解助剤を追加的に加えるための、人手による作業及び自動的な作業が不要である。また、電解助剤を加えるための、電解助剤の貯蔵部、電解助剤の量の調整部、電解助剤の搬入部等の構成も不要であり、給湯設備の構成の複雑化を抑制できる。
【００１６】
給水口から給水される水に対して追加的に電解助剤が加えられないため、電解助剤が加えられる場合に比べて流体の溶液抵抗が大きい。そのため、電気分解により電解水を生成するにはより大きな電圧を印加する必要がある。この場合、電解助剤を添加する場合と比較して温度差ΔＴは大きくなる傾向にある。
【００１７】
本発明に係る流路状態検出方法の更なる特徴構成は、
前記電解水生成装置は、前記加熱部の上流側に設けられている点にある。
【００１８】
上記特徴構成によれば、電解水生成装置は加熱部の上流側に設けられているため、電解水生成装置は、加熱部により加熱される前の流体に電圧を印加する。よって、一対の電極間を通流する流体の温度差ΔＴの温度上昇は、電解水生成装置が、一対の電極間を通流する流体にエネルギーを投入することにより生じる。つまり、流路を通流する流体の流量Ｆは、電解水生成装置が投入するエネルギーと温度差ΔＴとの関係で検出でき、加熱部が流体に投入するエネルギーを考慮する必要がない。よって、より簡易に流路を通流する流体の流量Ｆを検出できる。
【００１９】
本発明に係る流路状態検出方法の更なる特徴構成は、
前記温度差ΔＴの経時変化が上昇傾向である場合、及び、前記流量Ｆの経時変化が減少傾向である場合の少なくともいずれかに基づいて、前記流路状態として前記流路の閉塞を推定する点にある。
【００２０】
電極にスケール等が付着して流路が閉塞してくると、流路内を単位時間当たりに通流する流体の流量が減少するため、一対の電極間を通流している流体に投入されるエネルギー量が多くなり、上流温度と下流温度との温度差ΔＴが大きくなる。よって、上記特徴構成のように、温度差ΔＴが上昇傾向にあること、及び、流量Ｆが減少していることの少なくともいずれかに基づいて流路の閉塞を推定することができる。
【００２１】
また、例えば給水口を開いた瞬間、電解水生成装置の始動開始時、及び給湯機器の振動等により一時的に温度差ΔＴが上昇する場合、又は流量Ｆが減少する場合がある。上記特徴構成では、一時的な温度差ΔＴの上昇、又は流量Ｆの減少ではなく、温度差ΔＴの経時的変化を伴う上昇傾向及び流量Ｆの経時的変化を伴う減少傾向をみるため、より容易に流路の閉塞を推測することができる。
【００２２】
本発明に係る流路状態検出方法の更なる特徴構成は、
前記流路の閉塞が検出されると、前記一対の電極に印加する電圧の正負の極性を入れ替える点にある。
【００２３】
流路の閉塞が検出された場合とは、電解水生成装置の一対の電極間における流路が閉塞している場合である。この場合、電解水生成装置の当該流路に配置された電極にはスケール等が付着し、流路内を流体が通流し難くなっている可能性が高い。
【００２４】
最初に電極に電圧を印加することで、陰極には例えば炭酸カルシウム（ＣａＣＯ３）が付着し、陽極には例えばケイ酸アルミニウム系の化合物（Ａｌｍ（ＳｉＯ２）ｎ）、シリカ系化合物（Ｓｉ（ＯＨ）３Ｏ−）等が付着する。上記特徴構成によれば、流路の閉塞が検出されると、一対の電極に印加する電圧の正負の極性を入れ替える。これにより、陰極は陽極に、陽極は陰極となるため、陰極及び陽極それぞれの極性に引き寄せられて付着していたスケール等を剥がすことができる。
【００２５】
また、電極の表面には、電極での電子の授受の反応を促進するための電極触媒が形成されている。電極に印加する電圧の正負を頻繁に入れ替えると、電極から剥がれるなど電極触媒が損傷を受ける。上記特徴構成によれば、一対の電極に印加する電圧の正負の入れ替えは、流路の閉塞が検出された際に行われる。よって、所定時間が経過する度に電圧を反転させる場合よりも、極性の反転回数を減らして電極及び電極触媒の劣化を抑制できる。
【００２６】
本発明に係る給湯設備の特徴構成は、
水の供給を受ける給水口と、
前記給水口から延び、前記給水口から供給された水を含む流体が通流する流路と、
前記流路を通流する水を加熱して湯水を生成する加熱部と、
前記流路内の一部に、前記流体の流れ方向に沿って互いに対向して配置された一対の電極を有し、前記一対の電極に電圧を印加することで前記流体を電気分解し電解水を生成する電解水生成装置と、
前記給水口から供給された水、前記湯水及び前記電解水の少なくともいずれかの前記流体を排出する排出口と、
前記一対の電極に対して、上流側の流体の上流温度と下流側の流体の下流温度との温度差ΔＴと、前記電圧の印加により前記一対の電極間を通流する流体に投入されたエネルギーＥとに基づいて、前記流路を通流する流体の流量Ｆを含む流路状態を検出する流路状態検出部と、
を備える点にある。
【００２７】
上記特徴構成によれば、電解水生成装置により生成される電解水に含まれる次亜塩素酸及び次亜塩素酸イオン等によって、給湯設備及びその周囲等の雑菌、有機物及び臭い等を殺菌、分解及び脱臭等できるだけでなく、給湯設備に設けられた流路の流路状態を検出できる。
【図面の簡単な説明】
【００２８】
【図１】ミストサウナ装置の全体構成を示す側面図である。
【図２】給水路に設けられた電解水生成装置の構成を示す側面図である。
【図３】流量検出処理の流れを示すフローチャートである。
【図４】流量に基づいた閉塞検出及び閉塞改善処理の流れを示すフローチャートである。
【図５】温度差ΔＴに基づいた閉塞検出及び閉塞改善処理の流れを示すフローチャートである。
【発明を実施するための形態】
【００２９】
〔実施形態〕
以下に、本発明の実施形態に係るミストサウナ装置（給湯設備の一例）１の構成について図１を用いて説明する。以下の実施形態では、「天井設置型」であり、また給水した水道水（水）を装置内のミスト用熱交換器で加熱してミストノズルから噴霧する「温水循環方式」のミストサウナ装置１を例に挙げて説明する。なお、本実施形態のミストサウナ装置１は、後述の電解水生成装置４０を備えており、水道水（水）を電気分解して次亜塩素酸及び次亜塩素酸イオン等を発生させる。よって、ミストサウナ装置１に供給される水は、少なくとも塩素等の電解質が含まれている。
【００３０】
（１）ミストサウナ装置の構成
図１に示すように、ミストサウナ装置１は、筐体として本体ケーシング１２及びミスト用ケーシング２７を備えており、浴室４の天井部の天井板６に取り付けられている。具体的には、本体ケーシング１２を浴室４の天井板６の裏側に入り込ませた状態で、本体ケーシング１２の下方のグリル板１３が浴室４の天井板６の表側に位置するように設置されている。
【００３１】
ミストサウナ装置１は、浴室４内を暖房する暖房運転、浴室４内の空気を換気する換気運転、浴室４内を乾燥させる乾燥運転、浴室４内の風を送風する涼風運転、加熱したミスト用水を浴室４に噴霧するミストサウナ運転、後述の電解水生成装置４０が生成した電解水を浴室４に噴霧する洗浄運転等を行う。このような運転を行うために、ミストサウナ装置１は、温風を浴室４に供給する内気循環機構Ａと、水道水、加温したミスト用水及び電解水をミストとして浴室４内に噴霧するミスト噴霧機構Ｍと、浴室４内の空気を外部に排出する排出機構Ｄとを備えている。内気循環機構Ａ及び排出機構Ｄは本体ケーシング１２内に配置されており、ミスト噴霧機構Ｍの一部はミスト用ケーシング２７に配置されている。
【００３２】
また、ミストサウナ装置１は、各種の制御指令を入力可能なコントローラとしてのリモコン装置Ｒと、ミストサウナ装置１の制御を行う制御部３とを備えている。制御部３は、運転部３ａと、記憶部３ｂとを有している。記憶部３ｂには、暖房運転等を制御するための各種プログラム、流路状態検出処理に必要な変換率α及び流量Ｆの算出式等の規定値が記憶されている。運転部３ａは、記憶部３ｂの各種プログラム及び規定値を読み出し、リモコン装置Ｒに入力される運転指令に基づいて暖房運転等を実行可能にミストサウナ装置１を制御する。
【００３３】
以下に、ミストサウナ装置１の各部の構成についてさらに説明する。
ミストサウナ装置１は、浴室４内の空気を循環通風するための循環ファン７、その循環ファン７にて通風される空気を加熱する空調用熱交換器８、浴室４を換気するための換気ファン９、ミスト用水を加熱してミスト用の温水を生成する温水生成ユニット２６と、水道水、電解水及び温められたミスト用水を浴室４内にミスト状に噴霧する２個のミストノズル（排出口）１１等を本体ケーシング１２内に備えて構成されている。
【００３４】
本体ケーシング１２の下部はグリル板１３により覆われており、グリル板１３には、浴室４内の空気が取り込まれる吸気口１４と、取り込まれた空気が吹き出される吹出口１５とが並設されている。本体ケーシング１２内において、吸気口１４から取り込まれた浴室４内の空気が吹出口１５に向かって送風される経路は循環通風路１６として構成されている。循環ファン７は、この循環通風路１６内に設けられている。循環ファン７が駆動することで、吸気口１４から浴室４内の空気が取り込まれ、取り込まれた空気が循環通風路１６に沿って送風され、吹出口１５から浴室４内に吹出される。
【００３５】
空調用熱交換器８は、循環通風路１６内における循環ファン７よりも通風方向上流側に設けられている。空調用熱交換器８は、後述の温水供給機器２から循環供給される温水との熱交換により、循環通風路１６内を通風する空気を加熱する。
循環ファン７及び空調用熱交換器８等は、浴室４内の空気（内気）を取り込み、吹出口１５から浴室４内に吹出して循環させる内気循環機構Ａとして機能する。
【００３６】
ミストサウナ装置１には、浴室４の外部に設置された温水供給機器２との間で温水を循環させる熱媒循環路１７が接続されている。熱媒循環路１７は、温水供給機器２から供給される温水が通流する往路１８と、往路１８を介してミストサウナ装置１内を通流した温水が温水供給機器２に向かって通流する復路２１とを有する。往路１８は、２つの熱媒分岐路１９、２０に分岐している。
【００３７】
熱媒分岐路１９、２０のうちの熱媒分岐路２０は空調用熱交換器８内を通過している。さらに、空調用熱交換器８を通過した熱媒分岐路２０の下流側が熱媒循環路１７の復路２１に接続されている。これにより、温水供給機器２によって加熱された温水が、熱媒循環路１７を介して空調用熱交換器８に循環供給される。
熱媒分岐路２０の途中には、その熱媒分岐路２０の流路を開閉することにより空調用熱交換器８への温水の供給を断続自在な熱動弁２２が設けられている。
【００３８】
熱媒分岐路１９、２０のうちの熱媒分岐路１９は、ミスト用熱交換器（加熱部）２９内を通過している。さらに、ミスト用熱交換器２９を通過した熱媒分岐路１９の下流側が復路２１に接続されている。これにより、温水供給機器２によって加熱された温水が、熱媒循環路１７を介してミスト用熱交換器２９に循環供給される。
熱媒分岐路１９の途中には、その熱媒分岐路１９の流路を開閉することによりミスト用熱交換器２９への温水の供給を断続自在で且つミスト用熱交換器２９への温水の通流量を変更調整自在な熱媒流量調整弁３９が設けられている。
【００３９】
また、往路１８には、温水供給機器２からミストサウナ装置１に向かう温水の往き温度を検出する往き温水サーミスタ５が設けられている。また、ミスト用熱交換器２９よりも下流側の熱媒分岐路１９には、温水供給機器２に戻る温水の戻り温度を検出する戻り温水サーミスタ５６が設けられている。戻り温水サーミスタ５６では、温水供給機器２から供給された温水の熱が、ミスト用熱交換器２９においてミスト用水の昇温に利用されることで下降した際の戻り温度を検出する。
【００４０】
循環通風路１６内における空調用熱交換器８よりも上流側には、浴室温度サーミスタ２３が設けられている。浴室温度サーミスタ２３は、循環ファン７よりも吸気口１４側に設けられており、循環通風路１６を通流する空気の温度を浴室４内の温度として検出する。
吹出口１５には、図示しない電動モータにより揺動駆動される可動ルーバ２４が設けられている。可動ルーバ２４の揺動角度を調整することで、吹出口１５から浴室４内に吹出される空気の吹出し方向を変更することができる。
【００４１】
本体ケーシング１２の上部には、ミスト用の温水を発生してミストノズル１１に供給するための温水生成ユニット２６が設けられている。この温水生成ユニット２６は、ミスト用ケーシング２７内に、水道等からの水道水（水）をミスト用水及び電解水用として供給される給水路（給水口、流路）１０、その給水路１０を開閉する給水弁２８、給水路１０から供給されるミスト用水を温水供給機器２から循環供給される温水との熱交換により加熱するミスト用熱交換器２９、ミスト用熱交換器２９にて加熱されたミスト用水が通流する下手側通流路（流路）３０、その下手側通流路３０から分岐された排水路（流路）３１及びミスト供給路（流路）３４、ミスト供給路３４から分岐され各ミストノズル１１に夫々接続される分岐路（流路）３５、３６、２つの分岐路３５、３６を開閉することにより各ミストノズル１１への温水の供給を断続自在なミスト開閉弁３７、３８、排水路３１の流路を開閉する排水弁３２、下手側通流路３０を通流する温水の温度を検出するミスト用温水サーミスタ３３、給水路１０に設けられ、水道等からの水道水を電気分解して電解水を生成する電解水生成装置４０等を備える。
【００４２】
給水路１０の端部から水道等からの水道水が導入されて給水路１０を通流する。また、電解水生成装置４０が駆動された状態で水道水が給水路１０を通流することで電解水が生成され、電解水が給水路１０を通流する。また、給水路１０を通流する水道水がミスト用熱交換器２９との熱交換で温められて温水が生成され、温水が給水路１０を通流する。給水路１０を通流した水道水、温水及び電解水の少なくともいずれかは、給水路１０の下流の下手側通流路３０及びミスト供給路３４等に導入され、ミストノズル１１からミスト状に噴霧される。
【００４３】
ミストノズル１１は、グリル板１３における吸気口１４と吹出口１５との間に、ミストの噴霧方向が下向きとなるように取り付けられている。なお、ミストノズル１１の数は２個に限定されず、１個でもよいし、３個以上であってもよい。また、ミストノズル１１は、グリル板１３に不動状態で取り付けられていてもよいし、可動可能に取り付けられていてもよい。
本実施形態では、温水生成ユニット２６及びミストノズル１１等はミスト噴霧機構Ｍとして機能する。
【００４４】
排水路３１は、前回にミストサウナ運転を実行してから長時間にわたりミストサウナ運転が行われていない場合に、給水路１０の内部やミスト用熱交換器２９の内部流路等に滞留していた汚れたミスト用水を外部に排出する。排水路３１を用いた排水処理は、ミスト開閉弁３７、３８を閉弁状態に維持したまま、給水弁２８及び排水弁３２を開弁状態に切り換えることで実施される。
【００４５】
換気ファン９は、本体ケーシング１２内に設けられている。換気ファン９が駆動することにより、吸気口１４から取り込まれた浴室４内の空気が排気ダクト２５を通して外部に排気される。これにより浴室４は風が通って換気される。
換気ファン９及び排気ダクト２５は排出機構Ｄとして機能する。
【００４６】
温水供給機器２は、図示しない熱源機に接続されている。熱源機は、温水を加熱する装置であり、特にその構成は限定されない。例えば、熱源機は、燃料及び空気の供給を受けて燃料を燃焼し、燃焼により生じる排ガスの熱により水道水を加熱する装置である。また、例えば、熱源機は、通電により水道水を加熱するヒーター等であってもよい。
【００４７】
上記のミストサウナ装置１は、各種の制御指令を入力可能なコントローラとしてのリモコン装置Ｒに入力される運転指令に基づいて運転部３ａが各種動作を行う。
以下、ミストサウナ装置１の暖房運転、換気運転、乾燥運転、涼風運転、ミストサウナ運転及び洗浄運転の各運転について簡単に説明する。
【００４８】
〔暖房運転〕
暖房運転では、運転部３ａは、浴室４内の空気を吸気口１４を介して取り込み、この空気を加熱した上で、浴室４内に吹き出す。具体的には、運転部３ａは、換気ファン９を停止させ且つ循環ファン７を作動させるとともに、温水供給機器２からミストサウナ装置１の空調用熱交換器８に温水を供給する。循環ファン７の作動により吸気口１４を介して浴室４内の空気がミストサウナ装置１内に取り込まれる。取り込まれた空気は、空調用熱交換器８に供給された温水との間で熱交換されることで加熱される。加熱された空気が吹出口１５を介して浴室４内に吹き出されることで、浴室４内が暖房される。
【００４９】
なお、運転部３ａは、吹出口１５での温風温度が設定温度範囲に維持されるように、熱動弁２２の開閉と温水供給機器２の温水供給動作を制御して空調用熱交換器８に温水を循環供給する。また、運転部３ａは、浴室４内に通風される空気の通風量を暖房用の通風量となるように循環ファン７の動作状態を調整するとともに、可動ルーバ２４を揺動させる。
【００５０】
〔換気運転〕
換気運転では、運転部３ａは、浴室４内の空気を吸気口１４を介して取り込み、この空気を排気ダクト２５から排気する。具体的には、運転部３ａは、循環ファン７の作動を停止し且つ熱動弁２２を閉状態に維持した状態で、換気ファン９を作動させる。また、運転部３ａは、可動ルーバ２４が吹出口１５を閉状態とするように作動状態を調整する。換気ファン９の駆動により吸気口１４を介して浴室４内の空気がミストサウナ装置１内に取り込まれ、取り込まれた空気は排気ダクト２５を介して排気される。これにより、浴室４内の空気が排気されることで浴室４内が換気される。
【００５１】
〔乾燥運転〕
乾燥運転は、例えば、入浴後、或いは、水分を含んだ衣類などの被乾燥物が配置される場合に実行される。乾燥運転では、運転部３ａは、循環ファン７を作動させ且つ温水供給機器２からミストサウナ装置１へと温水を供給させる。また、運転部３ａは、吹出口１５での温風温度が設定温度範囲に維持されるように、熱動弁２２の開閉と温水供給機器２の温水供給動作を制御する。さらに、運転部３ａは、空調用熱交換器８に温水を循環供給するとともに、換気ファン９を作動させる。
これにより、吸気口１４を介して浴室４から取り込まれた空気の一部は、排気ダクト２５を介して屋外に排出される。これとともに、吸気口１４を介して取り込まれた空気の残りは、空調用熱交換器８により加熱された上で吹出口１５から浴室４内に吹き出される。
【００５２】
〔涼風運転〕
涼風運転では、運転部３ａは、浴室４内の空気を吸気口１４を介して取り込み、加熱することなく循環通風路１６を経由して吹出口１５から浴室４内に吹き出す。具体的には、運転部３ａは、熱動弁２２を閉状態に維持した状態で循環ファン７を作動させるとともに、換気ファン９を作動させる。また、運転部３ａは、吸気口１４を介して浴室４から取り込まれた空気の一部を排気ダクト２５を通して屋外に排出させる。さらに運転部３ａは、残りの空気を加熱することなく循環通風路１６を経由して吹出口１５から浴室４内に吹き出す。
なお、運転部３ａは、浴室４内への空気の吹き出し方向が、涼風運転用の設定吹出方向となるように、可動ルーバ２４の向きを調整する。
【００５３】
〔ミストサウナ運転〕
ミストサウナ運転では、運転部３ａは、浴室４内の暖房運転を行いながら、浴室４内にミストを噴霧する。具体的には、運転部３ａは、換気ファン９を停止させ且つ循環ファン７を作動させる。また、運転部３ａは、温水供給機器２からミストサウナ装置１の空調用熱交換器８に温水を循環供給する。このとき、運転部３ａは、吹出口１５での温風温度が設定温度範囲に維持されるように、熱動弁２２の開閉と温水供給機器２の空調用熱交換器８への温水供給動作を制御する。
【００５４】
これにより、上述したのと同様の暖房運転が行われる。更に、運転部３ａは、給水弁２８の開閉制御、並びに、熱媒流量調整弁３９の開閉制御を行う。給水弁２８の開閉制御によって、ミストノズル１１に供給される水量が調整される。熱媒流量調整弁３９の開閉制御によって、ミスト用熱交換器２９への温水の通流量が調整される。これらの制御により、ミストノズル１１に供給される水道水の昇温の調整が行われ、加熱された水がミストノズル１１から浴室４内に噴霧されることでミストサウナ運転が行われる。
【００５５】
〔洗浄運転〕
洗浄運転では、運転部３ａは、電解水生成装置４０を運転して水道水を電気分解し、次亜塩素酸等を含む電解水を生成し、ミストノズル１１に供給する。また、運転部３ａは、換気ファン９を停止させ且つ循環ファン７を作動させることで、吸気口１４を介して浴室４内の空気をミストサウナ装置１内に取り込む。更に、運転部３ａは、給水弁２８の開閉制御を行い、ミストノズル１１に供給される電解水の量を調整する。また、運転部３ａは、浴室４内に通風される空気の通風量を洗浄運転用の通風量となるように循環ファン７の動作状態を調整するとともに、可動ルーバ２４を揺動させる。これにより、所定量の電解水が所定の風量でミストノズル１１から浴室４内に噴霧される。
【００５６】
電解水に含まれる次亜塩素酸及び次亜塩素酸イオン等は、雑菌、有機物及び臭い等を殺菌、分解及び脱臭等する。よって、浴室４内に次亜塩素酸等を含む電解水を噴霧することで、浴室内のカビの発生の抑制、殺菌、臭いの除去等を行うことができる。
【００５７】
なお、洗浄運転において、運転部３ａは、温水供給機器２からミストサウナ装置１の空調用熱交換器８に温水を供給してもよい。これにより、吸気口１４を介して浴室４内に取り込まれた空気は、空調用熱交換器８に供給された温水との間で熱交換されることで加熱される。加熱された空気は吹出口１５を介して浴室４内に吹き出される。加熱された空気とともに電解水を浴室４内に噴霧することで、殺菌、分解及び脱臭等の効果を高めることができる。
【００５８】
（２）電解水生成装置
（２−１）電解水生成装置の構成
以下に、上記のミストサウナ装置１に設けられた電解水生成装置４０の構成について説明する。
電解水生成装置４０は、図１に示すように給水路１０において、ミスト用熱交換器２９よりも上流側に設けられている。このような電解水生成装置４０は、図２に示すように、給水路１０内に配置された一対の電極４１ａ，４１ｂと、一対の電極４１ａ，４１ｂに電圧を印加する電圧印加部４２とを備えている。一対の電極４１ａ，４１ｂは、図２に示すように給水路１０が延びる方向に沿って配置されるとともに、流れ方向と交差する方向に対向するように配置されている。例えば、電極４１ａ，４１ｂが白金等からなる板状部材で構成されている場合、電極４１ａ，４１ｂは、板状面が給水路１０が延びる方向に沿うように、また給水路１０の流路壁に沿うように、かつ給水路１０の径方向において対向するように配置されている。これにより、電極４１ａ，４１ｂは、給水路１０を通流する水道水の流れに沿い、かつ互いに対向して配置されている。このような電極４１ａ，４１ｂ間の距離は、例えば１ｍｍ〜１ｃｍであり、より好ましくは２ｍｍ〜６ｍｍである。
【００５９】
なお、電極４１ａ，４１ｂは、板状部材に限定されず、円筒状の給水路１０の流路壁に沿うように半円筒状に形成されていてもよい。また、電極４１ａ，４１ｂは、水道水に電圧を印加でき、耐腐食性等を備えている材料で構成されていればよく、白金に限定されない。
【００６０】
電解水生成装置４０には、図２に示すように、一対の電極４１ａ，４１ｂに対して、水道水の流れに沿った上流側に温度センサＳＴｆが配置されており、下流側に温度センサＳＴａが配置されている。
上流側の温度センサＳＴｆは、一対の電極４１ａ，４１ｂの上流側端部の近傍に設けられており、一対の電極４１ａ，４１ｂ間を通流する前の水道水の温度を測定する。下流側の温度センサＳＴａは、一対の電極４１ａ，４１ｂの下流側端部の近傍に設けられており、一対の電極４１ａ，４１ｂ間を通流した後の水道水の温度を測定する。
【００６１】
より好ましくは、上流側の温度センサＳＴｆは、一対の電極４１ａ，４１ｂの上流側端部よりも上流側に設けられ、下流側の温度センサＳＴａは、一対の電極４１ａ，４１ｂの下流側端部よりも下流側に設けられている。これにより、一対の電極４１ａ，４１ｂ間を通流する前から通流した後に至る温度差ΔＴをより正確に検出できる。
【００６２】
更に好ましくは、上流側の温度センサＳＴｆは、一対の電極４１ａ，４１ｂの上流側端部の直近かつ上流側に設けられ、下流側の温度センサＳＴａは、一対の電極４１ａ，４１ｂの下流側端部の直近かつ下流側に設けられている。これにより、上流側の温度センサＳＴｆによって、一対の電極４１ａ，４１ｂ間を通流する直前の水道水の温度を測定できる。また、下流側の温度センサＳＴａによって、一対の電極４１ａ，４１ｂ間を通流した直後の水道水の温度を測定できる。よって、一対の電極４１ａ，４１ｂ間を通流する直前の水道水の温度と、通流した直後の水道水の温度との温度差ΔＴを正確に測定できる。そして、後述の流量Ｆの検出をより容易に行うことができる。
【００６３】
図１に示す運転部３ａは、リモコン装置Ｒから洗浄運転の指令が入力されると、電圧印加部４２の電圧を制御する。これにより、一対の電極４１ａ，４１ｂ間に制御された電圧が印加される。一対の電極４１ａ，４１ｂ間に電圧が印加されることで、一対の電極４１ａ，４１ｂ間を通流する流体、ここでは給水路１０を通流している水道水が電気分解される。よって、次亜塩素酸及び次亜塩素酸イオン等を含む電解水が生成される。生成された電解水は、ミスト供給路（流路）３４及び分岐路（流路）３５、３６を介して各ミストノズル１１から浴室４内に噴霧される。電解水は、ミスト用熱交換器２９において熱媒との間で熱交換され、加熱されてもよい。
【００６４】
なお、電圧印加部４２での電圧の制御としては、一定の電圧及び一定電流による制御する場合、一定電流となるように電圧を制御する場合、一定電圧となるように電流を制御する場合等が挙げられる。また、電圧印加部４２の代わりに、電流を一対の電極４１ａ，４１ｂ間に印加する電流印加部（図示せず）を設けてもよい。
【００６５】
（２−２）電解水生成装置での流路状態検出処理
運転部３ａは、リモコン装置Ｒから洗浄処理の制御指令を受け付けると、電解水生成装置４０において電解水を生成するとともに、流路状態検出処理を実行する。つまり、運転部３ａは暖房運転等の各種処理を行うが、流路を通流する流体の流量Ｆを含む流路状態検出処理を行う流路状態検出部としても機能する。流路状態検出処理によって、流路（給水路（給水口、流路）１０、下手側通流路（流路）３０、排水路（流路）３１及びミスト供給路（流路）３４、分岐路（流路）３５、３６等）における流路状態を検出可能である。流路状態は、水道水、温水及び電解水を含む流体の流路における流量Ｆ、及び流路の閉塞等によって示される。
【００６６】
以下では、運転部３ａが行う流路状態検出処理を説明する。流路状態検出処理には、水道水、温水及び電解水を含む流体の流路における流量検出処理と、流路の閉塞検出処理と、流路の閉塞改善処理とが含まれる。これらの処理について以下に説明する。
【００６７】
（２−２−１）流量検出処理
電解水生成装置４０を用いた流量検出処理（ステップＳ１０）について図３に基づいて説明する。
ステップＳ１１：運転部３ａは、一対の電極４１ａ，４１ｂ間を通流した水道水に投入されたエネルギーＥを式（２）により算出する。
【００６８】
Ｅ＝Ｖ×Ｉ×ｈ・・・式（２）
ｈは、一対の電極間４１ａ，４１ｂに電圧が印加される時間、
Ｖは、時間ｈにおいて一対の電極４１ａ，４１ｂ間に印加される電圧、
Ｉは、時間ｈにおいて一対の電極４１ａ，４１ｂ間の流体に流れる電流である。
つまり、一対の電極４１ａ，４１ｂ間を通流する水道水に電圧が印加されることで、当該水道水には電流が流れる。よって、時間ｈにおいて一対の電極４１ａ，４１ｂ間を通流する水道水に加わるエネルギーＥは、時間ｈにおける、一対の電極に印加する電圧Ｖと一対の電極４１ａ，４１ｂ間の水道水に流れる電流Ｉとの乗算から式（２）に示すように求めることができる。
なお、電圧Ｖ及び電流Ｉは、時間ｈにおいて一定であってもよいし、変動する場合には時間ｈにおける平均値であってもよい。また、電圧Ｖ及び電流Ｉは、電解水に含まれる次亜塩素酸、次亜塩素酸イオン及び塩素ガス分子等の残留塩素濃度等の濃度が概ね一定となるように制御されてもよい。
【００６９】
ステップＳ１２：運転部３ａは、一対の電極４１ａ，４１ｂに対して、上流側の水道水と下流側の水道水との温度差ΔＴを式（３）により算出する。
ΔＴ＝Ｔａ−Ｔｆ・・・式（３）
Ｔｆは、一対の電極４１ａ，４１ｂに対して上流側の水道水の上流温度、
Ｔａは、一対の電極４１ａ，４１ｂに対して下流側の水道水の下流温度である。
ここで、Ｔａ＞Ｔｆである。
つまり、一対の電極４１ａ，４１ｂ間を通流する水道水にエネルギーＥを投入することで、一対の電極４１ａ，４１ｂ間の上流側の水道水よりも下流側の水道水の方が温度が高くなり、Ｔａ＞Ｔｆの関係となる。よって、下流側の水道水の下流温度Ｔａから上流側の水道水の上流温度Ｔｆから差し引くことで、エネルギーＥが投入されたことにより上昇した水道水の温度差ΔＴを式（３）に示すように求めることができる。
なお、Ｔａは温度センサＳＴａにより検出され、Ｔｂは温度センサＳＴｂにより検出される。
【００７０】
ステップＳ１３：運転部３ａは、変換率αを設定する。変換率αは、一対の電極４１ａ，４１ｂを通流する水道水に投入したエネルギーＥのうち、水道水に温度差ΔＴを生じさせる熱エネルギーへの変換率である。つまり、一対の電極４１ａ，４１ｂ間を通流する水道水に電圧を印加して水道水にエネルギーＥを投入した場合、投入したエネルギーＥの一部が溶液抵抗（流体内を電流が流れる際の抵抗）によって消費される。この溶液抵抗により消費されたエネルギーＥは熱に変換され、この熱により水道水の温度が上昇し、一対の電極４１ａ，４１ｂに対して上流側の水道水と下流側の水道水とに温度差ΔＴが生じる。なお、溶液抵抗は、流体の電流の通り易さに関係するため、水道水、温水及び電解水を含む流体の性質及び種類等によって異なる。
【００７１】
本実施形態では、給水路１０に投入される水道水は水道等から給水されており、水道水には追加的な電解助剤は加えられていない。電解助剤が水道水に追加的に加えられた場合、電圧印加部４２による印加電圧が低くても水道水を電気分解し、電解水を生成できる。しかし、前述の通り、給水路１０に給水される水道水に対して追加的に電解助剤が加えられないため、電解助剤が加えられている場合に比べて水道水の溶液抵抗が大きい。この場合、溶液抵抗によって消費されるエネルギーＥが大きくなり、投入されたエネルギーＥのより多くの部分が熱エネルギーに変換される。よって、追加的に電解助剤が加えられない場合には、変換率αは、追加的に電解助剤が加えられる場合よりも大きくなり、例えば、０．７以上である。
本実施形態では、変換率αは、給水路１０に投入される水道水に応じて予め設定されているものとする。
【００７２】
ステップＳ１４：運転部３ａは、一対の電極４１ａ，４１ｂ間を通流する水道水の流量Ｆを式（１）により算出する。
Ｆ＝（Ｅ×α）／ΔＴ・・・式（１）
前述の通り、αは、水道水に投入したエネルギーＥのうち、水道水に温度差ΔＴを生じさせる熱エネルギーへの変換率である。そして、流量Ｆの水道水に、（Ｅ×α）の熱エネルギーを投入することで、熱エネルギーの投入前と投入後とでΔＴの温度差が生じる。よって、式（１）に式（２）、式（３）を代入することで、流路内を通流する流体の流量Ｆを簡単に求めることができる。
【００７３】
例えば、一対の電極４１ａ，４１ｂ間を通流する水道水に投入されたエネルギーＥが上記式（２）に基づいて０．０６ｋＷｈであり、変換率αが０．９であるとする。また、一対の電極４１ａ，４１ｂ間を通流する水道水の上流温度Ｔｆと下流温度Ｔａとの温度差ΔＴを０．８℃とする。また、１ｋＷｈを８６０ｋｃａｌ／ｈと近似する。
この場合、式（１）に各値を導入することで次の通り流量Ｆが算出される。
Ｆ＝（０．０６×０．９×８６０）／（０．８×６０）
＝０．９６７５（Ｌ／ｍｉｎ）
≒１．０（Ｌ／ｍｉｎ）
【００７４】
以上の流量検出処理によって、一対の電極４１ａ，４１ｂ間を通流する水道水の流量Ｆを算出できる。この流量Ｆは、給水路（給水口、流路）１０、下手側通流路（流路）３０、排水路（流路）３１及びミスト供給路（流路）３４、分岐路（流路）３５、３６等における水道水の流量としても推定される。
なお、ステップＳ１１、Ｓ１２、Ｓ１３は順不同である。
【００７５】
上述の流量検出処理が実行されることでミストサウナ装置１等の給湯設備に設けられた流路の流路状態（流量Ｆを含む）を検出できる。さらには、電解水生成装置４０により生成される電解水に含まれる次亜塩素酸及び次亜塩素酸イオン等によって、給湯設備及びその周囲等の雑菌、有機物及び臭い等を殺菌、分解及び脱臭等もできる。
【００７６】
ミストサウナ装置１、給湯器、床暖房端末等の給湯設備の流路は、給湯設備が小型であること、また小型化が図られていること等から、その流路径は比較的に小さく設計されている。よって、従来は、流量計の性能、誤差及び外乱等に起因して流体の流量Ｆを測定することが難しいという問題があった。しかし、発明者等は、上記の方法を採用することで、流路を通流する流体の流量Ｆを検出し、流路状態を容易に検出できることを見出した。
【００７７】
また、給水路１０から給水される水道水に電解助剤を加えた場合、電解水生成装置４０において低い電圧を印加することによって水道水から電解水を生成できる。しかし、給湯設備として用いられるミストサウナ装置１、給湯器、床暖房端末等において、電解助剤を追加的に加える場合、作業工程が増え、また電解助剤を投入するための構成を給湯設備に備える必要がある。また、電解助剤として挙げられる塩（例えばＮａＣｌ等）は、流路を構成する配管等の腐食及び破損等を招く恐れがある。
【００７８】
そこで、本実施形態では、給水路１０から給水される水道水に対して追加的に電解助剤は加えない。よって、電圧を印加する等の簡単な工程によって、電解水生成装置４０において電解水を生成できる。つまり、例えば電解助剤を追加的に加えるための、人手による作業及び自動的な作業が不要である。また、電解助剤を加えるための、電解助剤の貯蔵部、電解助剤の量の調整部、電解助剤の搬入部等の構成も不要であり、ミストサウナ装置１等の構成の複雑化を抑制できる。
【００７９】
また、給水路１０から給水される水道水に対して追加的に電解助剤が加えられないため、電解助剤が加えられる場合に比べて水道水の溶液抵抗が大きい。そのため、電気分解により電解水を生成するにはより大きな電圧を印加する必要がある。この場合、流路にスケール等が付着し易く閉塞し易くなる。そして、電解助剤を添加する場合と比較して、電解助剤が添加されていない場合においては、温度差ΔＴが大きくなる傾向にある。上記構成によれば、流量Ｆを含む流路状態を検出するため、流量Ｆの減少傾向等により流路の閉塞等を容易に推定することができる。また、後述するが、温度差ΔＴの上昇傾向によっても流路の閉塞等を容易に推定できる。
【００８０】
つまり、本実施形態では、給水路１０の水道水に追加的に電解助剤が加えないため、一対の電極４１ａ，４１ｂ間に大きな電圧を印加する結果、流路が閉塞し易くなる。本実施形態では、流量Ｆ及び温度差ΔＴを検出することで、このような流路の閉塞等を容易に検出し、閉塞を除去する対策を行うことができる。よって、電解助剤を加えないという本実施形態の特徴により、作業工程の増加及び設備の複雑化を回避することができるとともに、電解助剤を加えないことにより流路の閉塞等が生じる場合にも対応できる。
【００８１】
また、上記実施形態において、図１に示すように、電解水生成装置４０は給水路１０においてミスト用熱交換器２９よりも上流側に設けられている。つまり、電解水生成装置４０は、ミスト用熱交換器２９により加熱される前の水道水に電圧を印加する。よって、一対の電極４１ａ，４１ｂ間を通流する水道水の温度差ΔＴの温度上昇は、電解水生成装置４０が、一対の電極４１ａ，４１ｂ間を通流する水道水にエネルギーＥを投入することにより生じる。つまり、一対の電極４１ａ，４１ｂ間を通流する水道水の流量Ｆは、電解水生成装置４０が投入するエネルギーＥと温度差ΔＴとの関係で検出でき、ミスト用熱交換器２９が水道水に投入するエネルギーを考慮する必要がない。よって、より簡易に流路を通流する水道水の流量Ｆを検出できる。
【００８２】
（２−２−２）流量に基づいた閉塞検出及び閉塞改善処理
流量Ｆに基づいた閉塞検出及び閉塞改善処理について図４に基づいて説明する。図４の処理には、流量Ｆに基づいた流路の閉塞検出処理と閉塞改善処理とが含まれる。
ステップＳ１０：運転部３ａは、上記図３に示した流量検出処理を行う。
ステップＳ２１：運転部３ａは、ステップＳ１０の流量検出処理で取得した水道水の流量Ｆについて経時的変化の傾向を取得する。
例えば、運転部３ａは、１回の洗浄運転を１０〜６０分行い流量Ｆを検出する。複数回の洗浄運転毎に流量Ｆを検出し、経時変化を取得する。そして、運転部３ａは、１回目（一番最初）の洗浄運転で取得した流量Ｆに対して、２回目以降の洗浄運転での流量Ｆが例えば３０％減少した場合に減少傾向と判断する。
【００８３】
ステップＳ２２：運転部３ａは、流量Ｆが減少傾向であると判断することで流路が閉塞していると判定（推定）する。運転部３ａは、流路が閉塞していると判定（推定）すると（ステップＳ２２においてＹｅｓ）、ステップＳ２３に処理を進める。一方、運転部３ａは、流量Ｆが減少傾向ではなく流路が閉塞していないと判定すると（ステップＳ２２においてＮｏ）、ステップＳ１０に戻り、流量Ｆの検出を継続する。
ステップＳ２３：運転部３ａは、流路の閉塞が検出されると、電圧印加部４２を制御し、一対の電極４１ａ，４１ｂに印加する電圧の正負の極性を入れ替える。
【００８４】
流路が閉塞すると、流路内を通流する水道水の流量Ｆが減少する。よって、流量Ｆが減少していることに基づいて流路の閉塞を検出することができる。
また、例えば給水路１０に給水を開始した瞬間、電解水生成装置４０の始動開始時、及びミストサウナ装置１の振動等により流量Ｆが減少する場合がある。上記構成では、一時的な流量Ｆの減少ではなく、流量Ｆの経時的変化を伴う減少傾向をみるため、より容易に流路の閉塞を検出することができる。
【００８５】
なお、流路の閉塞が検出された場合とは、電解水生成装置４０の一対の電極４１ａ，４１ｂ間における流路が閉塞している場合である。この場合、電解水生成装置４０の当該流路に配置された電極４１ａ，４１ｂにはスケール等が付着し、流路内を水道水が通流し難くなっている可能性が高い。
【００８６】
最初に電極４１ａ，４１ｂに電圧を印加することで、陰極には例えば炭酸カルシウム（ＣａＣＯ３）が付着し、陽極には例えばケイ酸アルミニウム系の化合物（Ａｌｍ（ＳｉＯ２）ｎ）、シリカ系化合物（Ｓｉ（ＯＨ）３Ｏ−）等が付着する。上記のように流路の閉塞が検出されると、運転部３ａは、電圧印加部４２を制御して一対の電極４１ａ，４１ｂに印加する電圧の正負の極性を入れ替える。これにより、陰極は陽極に、陽極は陰極となるため、陰極及び陽極それぞれの極性に引き寄せられて付着していたスケール等を剥がすことができる。
【００８７】
また、一対の電極４１ａ，４１ｂの表面には、電子の授受の反応を促進するための電極触媒が形成されている。電極に印加する電圧の正負を頻繁に入れ替えると、電極から剥がれるなど電極触媒が損傷を受ける。上記の処理によれば、一対の電極４１ａ，４１ｂに印加する電圧の正負の入れ替えは、流路の閉塞が検出された際に行われる。よって、所定時間が経過する度に電圧を反転させる場合よりも、極性の反転回数を減らして電極及び電極触媒の劣化を抑制できる。
【００８８】
なお、流路が閉塞しているとは、流路が完全に閉塞しており水道水が流路を通流できない場合だけでなく、所望の流量に対して所定割合、例えば７割程度しか水道水が通流できない場合も含む。
また、電解水生成装置４０が生成した電解水によってミストサウナ装置１等の給湯機器及びその周囲等を洗浄可能であるが、このような洗浄運転は複数回に亘って実行可能である。この複数回に亘る洗浄運転において流路の閉塞を判断することもできる。これにより、一時的な流量Ｆの減少によらずに、より容易に流路の閉塞を検出することができる。
【００８９】
（２−２−３）温度差ΔＴに基づいた閉塞検出及び閉塞改善処理
温度差ΔＴに基づいた閉塞検出及び閉塞改善処理について図５に基づいて説明する。図５の処理には、温度差ΔＴに基づいた流路の閉塞検出処理と閉塞改善処理とが含まれる。
ステップＳ３１：運転部３ａは、温度差ΔＴについて経時的変化の傾向を取得する。
例えば、運転部３ａは、１回の洗浄運転を１０〜６０分行い温度差ΔＴを検出する。複数回の洗浄運転毎に温度差ΔＴを検出し、経時変化を取得する。そして、運転部３ａは、１回目（一番最初）の洗浄運転で取得した温度差ΔＴに対して、２回目以降の洗浄運転での温度差ΔＴが例えば３０％増加した場合に上昇傾向と判断する。
【００９０】
ステップＳ３２：運転部３ａは、温度差ΔＴが上昇傾向であると判断することで流路が閉塞していると判定（推定）する。運転部３ａは、流路が閉塞していると判定（推定）すると（ステップＳ３２においてＹｅｓ）、ステップＳ３３に処理を進める。一方、運転部３ａは、温度差ΔＴが上昇傾向ではなく流路が閉塞していないと判定すると（ステップＳ３２においてＮｏ）、ステップＳ３１に戻り、温度差ΔＴの検出を継続する。
【００９１】
ステップＳ３３：運転部３ａは、図４のステップＳ２３と同様に、流路の閉塞が検出されると、電圧印加部４２を制御し、一対の電極４１ａ，４１ｂに印加する電圧の正負の極性を入れ替える。
【００９２】
スケール等が付着して一対の電極４１ａ，４１ｂが挿入された流路が閉塞すると、流路内を単位時間当たりに通流する流体の流量が減少するため、一対の電極間を通流している水道水に投入されるエネルギー量が多くなり、上流温度と下流温度との温度差ΔＴが大きくなる。よって、温度差ΔＴが上昇傾向にあることに基づいて流路の閉塞を検出することができる。
また、一時的な温度差ΔＴの上昇ではなく、温度差ΔＴの経時的変化を伴う上昇傾向をみるため、より容易に流路の閉塞を検出することができる。
【００９３】
なお、図５の温度差ΔＴに基づいた閉塞検出及び閉塞改善処理においても、図４の流量に基づいた閉塞検出及び閉塞改善処理と同様に、複数回に亘る洗浄運転において流路の閉塞を判断することで、一時的な温度差ΔＴの上昇によらずに、より容易に流路の閉塞を検出することができる。
【００９４】
〔他の実施形態〕
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【００９５】
（１）上記実施形態では、電解水生成装置４０は、給水路１０においてミスト用熱交換器２９の上流側に設けられている。しかし、電解水生成装置４０は、給水路１０、下手側通流路３０、ミスト供給路３４、分岐路３５、３６のいずれかの位置に設けられていればよい。
例えば、電解水生成装置４０は、給水路１０においてミスト用熱交換器２９の下流側に設けられていてもよい。この場合、ミスト用熱交換器２９内に加熱された熱媒が通流している場合には、当該熱媒との熱交換により加熱された温水が電解水生成装置４０に導入される。
【００９６】
また、例えば、ミスト開閉弁３７、３８の下流側の分岐路３５、３６に電解水生成装置４０を配置し、ミスト開閉弁３７、３８により絞った流量を電解水生成装置４０に導入してもよい。電解水生成装置４０は、絞られた流量の水又は温水を電気分解して電解水を生成する。この場合、電解水生成装置４０における圧損を低下させ、上述の流量Ｆの検出をより容易に行うことができる。
【００９７】
（２）上記実施形態の図４の処理では、流量Ｆに基づいて閉塞検出及び閉塞改善処理を行う。一方、図５の処理では、温度差ΔＴに基づいて閉塞検出及び閉塞改善処理を行う。流量Ｆの減少傾向及び温度差ΔＴの上昇傾向の両方に基づいて流路の閉塞を検出し、閉塞改善処理を行ってもよい。
【００９８】
（３）上記実施形態では、運転部３ａは、リモコン装置Ｒから洗浄処理の制御指令を受け付けると、電解水生成装置４０において電解水を生成するとともに、流路状態検出処理を実行する。しかし、洗浄運転とは異なり、流路状態を検出するための流路状態検出運転が別途に設けられていてもよい。この場合、リモコン装置Ｒから流路状態検出運転の指令が入力されると、運転部３ａは電解水生成装置４０を制御し、電解水を生成するとともに流路状態検出処理を行う。
【００９９】
（４）上記実施形態では、ミストを噴霧可能なミストサウナ装置１に電解水生成装置４０が設けられている構成について説明した。しかし、電解水生成装置４０は、ミストサウナ装置１に設けられている場合に限られず、例えば給湯器、床暖房端末等の給湯設備において流体が通流する流路に設けられていてもよい。
例えば給湯器に電解水生成装置４０が設けられている場合には、洗浄運転において電解水生成装置４０を駆動して排出口から電解水を排出することで、給湯器が設けられている洗い場の殺菌、給湯器内の流路の殺菌等を行うことができる。
また、例えば床暖房端末の場合には、洗浄運転において電解水生成装置４０を駆動して電解水を流路内に循環させることで、流路内の雑菌、有機物及び臭い等を電解水により殺菌、分解及び脱臭等できる。
【０１００】
（５）上記実施形態では、電解水生成装置４０は、給水した水道水をミスト用熱交換器２９で加熱してミストノズル１１から噴霧する「温水循環方式」のミストサウナ装置１に設けられている。しかし、電解水生成装置は、熱源機で加熱した湯をそのままミストノズル１１から噴霧する「給湯直結方式」のミストサウナ装置に設けられてもよい。
【０１０１】
（６）上記実施形態では、ミストサウナ装置１は天井部に設けられているが、ミストサウナ装置１の配置位置はこれに限定されない。例えば、ミストサウナ装置１は壁掛けタイプであってもよい。
【符号の説明】
【０１０２】
１      ：ミストサウナ装置（給湯設備）
３ａ    ：運転部（流路状態検出部）
１０    ：給水路（給水口、流路）
１１    ：ミストノズル（排出口）
２９    ：ミスト用熱交換器（加熱部）
３０    ：下手側通流路（流路）
３１    ：排水路（流路）
３４    ：ミスト供給路（流路）
３５    ：分岐路（流路）
３６    ：分岐路（流路）
４０    ：電解水生成装置
４１ａ  ：電極
４１ｂ  ：電極
Ｅ      ：エネルギー
Ｆ      ：流量
Ｉ      ：電流
Ｔａ    ：下流温度
Ｔｆ    ：上流温度
Ｖ      ：電圧
ΔＴ    ：温度差
α      ：変換率
【図１】
2020122635.tif 000003
【図２】
2020122635.tif 000004
【図３】
2020122635.tif 000005
【図４】
2020122635.tif 000006
【図５】
2020122635.tif 000007